(57)【特許請求の範囲】
【請求項１】
宿泊施設内に配置され、入場の際に所定の年齢制限を行っている遊技場への入場希望者に対し、前記遊技場への入場を許可するか否かを判断する遊技場の入場許可判断システムであって、
前記遊技場に設けられたゲート装置と、このゲート装置との間で通信を行うサーバ装置とを有し、
前記ゲート装置は、前記遊技場の入口に設けられてゲートの開閉動作により入場者の遊技場への入場の可否を行うゲート部と、
前記入場希望者の身長の計測に基づいて入場希望者の身長データを生成する身長データ生成手段と、
前記身長データ生成手段によって生成された身長データを前記サーバ装置へ送信すると共にサーバ装置から前記ゲート部のゲートの開閉動作の指示を受けるゲート側の通信部と、
前記ゲート側の通信部が受信した前記サーバ装置からのゲートの開閉動作の指示に従ってゲート部にゲートの開閉動作を制御するゲート開閉制御部とを備え、
前記サーバ装置は、前記宿泊施設に宿泊し携帯電話を所持する所持宿泊者の携帯電話番号と前記所持宿泊者及び前記所持宿泊者に同行して宿泊する１又は複数の同行者の身長データ及び年齢データと対応づけられた対応データを予め格納する格納手段と、
前記ゲート部のゲートの開放を許可するか否かを判断する入場許可判断手段と、
前記入場希望者の携帯電話から送信された携帯電話番号を受信すると共に前記ゲート側の通信部から前記身長データ生成手段により生成された身長データを受信し、前記ゲート部のゲートの開閉動作の指示を送信するサーバ側の通信部と、
前記入場許可判断手段の判断結果に基づいて前記サーバ側の通信部を介してゲート部のゲートの開閉動作の指示をゲート側の通信部に送信する制御部とを備え、
前記入場許可判断手段は、前記サーバ側の通信部で受信した前記入場希望者の携帯電話の携帯番号及び前記身長データ生成手段により生成された身長データを、前記対応データの携帯番号及び身長データに照合することにより、当該対応データの身長データに対応する年齢データを抽出し、この年齢データに基づき前記所定の年齢制限に該当するか否かを判断し、前記所定の年齢制限に該当しないと判断した場合には、ゲート部のゲートの開放を許可する判断を行い、他方所定の年齢制限に該当すると判断した場合には、ゲート部のゲートの開放を許可しない判断を行うことを特徴とする入場許可判断システム。
【請求項２】
前記入場希望者の身長の計測は、非接触センサにより行われることを特徴とする請求項１に記載の遊技場の入場許可判断システム。
【発明の詳細な説明】
【０００１】
【発明の属する技術分野】
本発明は、年齢制限のある遊技場への入場の許可を判断する判断システムに関するものである。
【０００２】
【従来の技術】
一般的に、観光ホテル等の宿泊施設内には、宿泊者等のために、種々の遊技場が存在する。このような遊技場には、全ての年齢層の者に利用できるものもあるが、一定の年齢以上の者しか利用できないものもある。このような遊技場としては、例えば、パチンコ遊技場やパチンコスロット遊技場、カジノ遊技場等がある。そして、一定の年齢に達しない者が、このような遊技場を利用することが、法律上禁止されていたりする場合がある。
【０００３】
このため、このような遊技場では、一定年齢未満の者が利用することを防止するため、上記遊技場の入口に監視員を配置させている。そして、宿泊者等の上記遊技場への入場希望者は、身分証明書等に基づいて、自己の年齢を監視員に知らせる。監視員が一定の年齢以上の者と判断した場合には、その者に対して、上記遊技場への入場を許可する。一方、監視員が一定の年齢未満の者と判断した場合には、その者に対して、上記遊技場への入場を許可しない。
【０００４】
【発明が解決しようとする課題】
しかしながら、従来において、以下のような問題点があった。法律違反を回避するため、上記遊技場の入り口に監視員を配置させることは、監視員の監視作業に対する人件費がかかってしまう。
【０００５】
従って、従来においては、年齢制限を行っている遊技場への入場希望者について、入場できる者であるか否かを判断できる入場許可判断システムの開発が望まれていた。
【０００６】
本発明は、以上のような問題に鑑みて、監視員を配置させなくとも、遊技者の年齢制限を行っている遊技場への入場希望者について、入場を許可してもよいか否かを判断できる入場許可判断システムを提供することを目的とする。
【０００７】
【課題を解決するための手段】
以上の問題を解決するために、本願に係る第１の発明は、宿泊施設内に配置され、入場の際に所定の年齢制限を行っている遊技場への入場希望者に対し、前記遊技場への入場を許可するか否かを判断する遊技場の入場許可判断システムであって、前記遊技場に設けられたゲート装置と、このゲート装置との間で通信を行うサーバ装置とを有し、前記ゲート装置は、前記遊技場の入口に設けられてゲートの開閉動作により入場者の遊技場への入場の可否を行うゲート部と、前記入場希望者の身長の計測に基づいて入場希望者の身長データを生成する身長データ生成手段と、前記身長データ生成手段によって生成された身長データを前記サーバ装置へ送信すると共にサーバ装置から前記ゲート部のゲートの開閉動作の指示を受けるゲート側の通信部と、前記ゲート側の通信部が受信した前記サーバ装置からのゲートの開閉動作の指示に従ってゲート部にゲートの開閉動作を制御するゲート開閉制御部とを備え、前記サーバ装置は、前記宿泊施設に宿泊し携帯電話を所持する所持宿泊者の携帯電話番号と前記所持宿泊者及び前記所持宿泊者に同行して宿泊する１又は複数の同行者の身長データ及び年齢データと対応づけられた対応データを予め格納する格納手段と、前記ゲート部のゲートの開放を許可するか否かを判断する入場許可判断手段と、前記入場希望者の携帯電話から送信された携帯電話番号を受信すると共に前記ゲート側の通信部から前記身長データ生成手段により生成された身長データを受信し、前記ゲート部のゲートの開閉動作の指示を送信するサーバ側の通信部と、前記入場許可判断手段の判断結果に基づいて前記サーバ側の通信部を介してゲート部のゲートの開閉動作の指示をゲート側の通信部に送信する制御部とを備え、前記入場許可判断手段は、前記サーバ側の通信部で受信した前記入場希望者の携帯電話の携帯番号及び前記身長データ生成手段により生成された身長データを、前記対応データの携帯番号及び身長データに照合することにより、当該対応データの身長データに対応する年齢データを抽出し、この年齢データに基づき前記所定の年齢制限に該当するか否かを判断し、前記所定の年齢制限に該当しないと判断した場合には、ゲート部のゲートの開放を許可する判断を行い、他方所定の年齢制限に該当すると判断した場合には、ゲート部のゲートの開放を許可しない判断を行うことを特徴とするものである。
【０００８】
本発明によれば、格納手段には、所持宿泊者の携帯電話番号と、所持宿泊者及び所持宿泊者に同行して宿泊する１又は複数の同行者の身長データ及び年齢データと対応づけられた対応データが予め格納されている。そして、サーバ側の通信部に入場希望者の携帯電話から送信された携帯電話番号と身長データが受信されると、入場許可判断手段は、サーバ側の通信部が受信した携帯電話番号と身長データを対応データの携帯番号及び身長データと照合し、対応データの身長データに対応する年齢データを抽出し、この年齢データに基づき所定の年齢制限に該当するか否かを判断する。所定の年齢制限に該当しないと判断した場合には、ゲート部のゲートの開放を許可する判断を行い、所定の年齢制限に該当すると判断した場合には、ゲート部のゲートの開放を許可しない判断を行う。
【０００９】
以上のことから、監視員を配置させなくとも、遊技者の年齢制限を行っている遊技場への入場希望者について、入場を許可してもよいか否かを判断できる入場許可判断システムを提供することが可能となる。
【００１４】
また、本願に係る第２の発明は、請求項１に記載の遊技場の入場許可判断システムであって、前記入場希望者の身長の計測は、非接触センサにより行われることを特徴とするものである。
【００１５】
この第２の発明によれば、入場希望者の身長の計測に基づいて、身長データ生成手段により生成された身長データを識別データとすることで、同行宿泊者が所持宿泊者と偽って、上記遊技場に入場できてしまうということをより一層防止できる。
【００１６】
【発明の実施の形態】
（構成）
図１は、本発明の実施の形態である遊技場の入場許可判断システムの構成を示す図である。入場許可判断システムは、宿泊施設内の遊技場２の入口に設けられたゲート装置４と、このゲート装置４との間で通信を行うサーバ装置６とを有する。この遊技場２は、例えば、パチンコ遊技場等の遊技場であり、遊技できる者は、一定の年齢以上でなければならない。このため、一定の年齢未満の者は、この遊技場に入場することができない。
【００１７】
（ゲート装置の構成）
ゲート装置４は、ゲート（図示せず）の開閉動作を行うゲート部８と、このゲート部８の開閉動作を制御するゲート開閉制御部１０と、入場希望者の身長データを生成する身長データ生成部１２と、身長データ生成部１２により生成されたデータ等各種のデータを送信したり、サーバ装置６から送信されてくる各種データを受信する通信部１４（送信部及び受信部）と、各部を制御する制御部１６とを有する。
【００１８】
ゲート部８は、例えば、ゲート開閉制御部１０により制御されてゲート（図示せず）の開閉動作を行う。この開閉動作により、遊技場２への入場希望者は、入場が許可されなかったり、入場が許可されたりする。
【００１９】
身長データ生成部１２は、足をのせるための踏み台部（図示せず）と、この踏み台部に足をのせたか否かを検知する踏み台センサー（図示せず）と、上記踏み台部と垂直方向に設けられ、一定間隔おきに複数のセンサーが配置された壁部（図示せず）と、この壁部と接触しながら、上記踏み台部と垂直方向に移動可能な平板部（図示せず）と、各部を制御する身長計測制御部（図示せず）と、を有する。なお、平板部は、通常は人間の身長以上の場所に配置されている。ここで、身長計測制御部は、壁部のセンサーのセンサー番号と身長データとが対応づけられたテーブルを保持している。
【００２０】
以下に身長データ生成部１２の動作を示す。先ず、入場希望者が踏み台に足をのせる。すると、踏み台センサーが足がのったことを検知する。この検知信号は、身長計測制御部へ送られる。すると、身長計測制御部は、平板部に対して、一定の速度で、下降するように指示する。すると、平板部は、入場希望者の頭に接触するまで、下降し、頭に接触したときには、下降を停止する。この平板が停止した位置を壁部内のセンサーが検知し、検知信号が身長計測制御部へ送られる。身長計測制御部は、検知したセンサーが何番目のセンサーか判断する。そして、身長計測制御部は、保持しているセンサー番号と身長データとのテーブルに基づいて、入場希望者の身長データを判断する。以上のようにして、身長データが生成される。なお、身長データ生成に関しては、他にも種々の公知の方法があり、本実施の形態では、特に限定しない。
【００２１】
また、ゲート装置４は、サーバ装置６から送られてくる入場許可か否かを示すデータを表示する表示部１８を有する。この表示部１８は、例えば、液晶ディスプレイで構成されるが、特に、これに限定されるものではない。
【００２２】
制御部１６は、例えば、ＣＰＵ等で構成される。
【００２３】
（サーバ装置６の構成）
サーバ装置６は、携帯電話１からの携帯電話番号やゲート装置４から送信されるデータを受信したり、ゲート装置４に対して、各種のデータを送信したりする通信部２０と、一定の対応テーブル等各種のデータを格納した格納部２２と、携帯電話１から携帯電話番号を送信した入場希望者の入場を許可するか否かを判断する判断部２４と、宿泊施設の従業者等が宿泊者の情報等を入力する入力部２６と、現在の宿泊者に関する情報を出力する出力部２８と、各部を制御する制御部３０とを有する。サーバ装置６は、例えば、宿泊施設のフロント等の場所に設置されている。但し、サーバ装置６は、上記以外の場所に設置されていてもよい。
【００２４】
通信部２０は、受信部及び送信部からなる。受信部２０は、携帯電話番号や携帯電話１からの信号を受信する携帯電話信号受信部（図示せず）と、ゲート装置４から送信される各種のデータを受信するゲート装置受信部（図示せず）とを有する。ここで、受信部には、遊技場２への入場希望者の携帯電話１から送信された携帯電話番号や、入場希望者の身長データが受信される。
【００２５】
送信部２０は、携帯電話１に対して、所定のメッセージを送信する携帯電話信号送信部（図示せず）と、ゲート装置４に対して、入場を許可する旨等の各種のデータを送信するゲート装置送信部（図示せず）とを有する。
【００２６】
格納部２２は、例えば、メモリ、データベース等で構成されている。格納部２２には、第１対応データ及び第２対応データ等、各種のデータが格納されている。第１対応データにおいては、宿泊施設に宿泊し、携帯電話１を所持する者である所持宿泊者の携帯電話番号と、前記所持宿泊者の年齢とが、対応づけられている。
【００２７】
ここで、携帯電話１を所持する者が１人で宿泊施設に宿泊している場合には、携帯電話１を使用するのは、所持宿泊者なので、第１対応テーブルの携帯電話番号に対応する年齢は、携帯電話１を所持する所持宿泊者の年齢ということになる。しかし、所持宿泊者に同行して宿泊する同行宿泊者がいる場合、例えば、家族連れで宿泊している場合等には、携帯電話１の所持宿泊者の子供が携帯電話１を使用するような場合もある。上述の第１対応データでは、子供が携帯電話１を使用しても、携帯電話番号に対応する年齢は、所持宿泊者の年齢となってしまうので、上記遊技場２に入場できてしまう。このため、子供が携帯電話１を利用して、上記遊技場２に入場してしまう事態を避けるため、第２対応データも格納されている。
【００２８】
第２対応データにおいては、所持宿泊者の携帯電話番号と、所持宿泊者及びその同行宿泊者の身長と、宿泊者及び同行宿泊者の年齢とが対応づけられている。
【００２９】
この身長は、所持宿泊者や同行宿泊者を識別するための情報である。通常、各個人の身長は各個人に固有の情報であるため、ここでは、識別情報として、身長情報を用いている。
【００３０】
第１対応データ及び第２対応データをまとめた対応テーブルの一例を図２に示す。この対応テーブルには、携帯電話番号、所持宿泊者又は同行宿泊者の氏名、所持宿泊者及び同行宿泊者のうちいずれかを示す類別（所持／同行）、身長（ｃｍ）、年齢（才）が対応づけられている。この他に、対応テーブルには、住所等を含めても良い。これらの情報を以下、まとめて宿泊者情報という。
【００３１】
例えば、対応テーブルにおいて、携帯電話番号○△×−××××−△△△△の場合には、携帯電話１の持ち主である所持宿泊者は１人であり、氏名、所持宿泊者である旨、年齢が記録されている。
【００３２】
これは、携帯電話番号だけで、所持宿泊者を識別できるからである。なお、携帯電話番号○△×−△△△−□□□□の場合のように、その人の身長が記録されていても良い。
【００３３】
携帯電話番号○△×−□□□−○△□×の場合には、その携帯電話１の所持者である所持宿泊者のほか、この所持宿泊者に同行する同行宿泊者が存在している。そして、この場合には、所持宿泊者及び同行宿泊者の氏名、類別、身長、年齢が記録されている。
【００３４】
なお、第１対応データ及び第２対応データは、それぞれ、異なるファイルに分散されて格納部２２に格納されており、これらをポインタで対応づけすることによって構成してもよい。
【００３５】
判断部２４は、第１入場許可判断部２４ａ及び第２入場許可判断部２４ｂを有する。第１入場許可判断部２４ａは、対応テーブル（第１対応データ）を参照して、受信された携帯電話番号に対応する入場希望者の年齢を判断し、遊技場２の所定の年齢制限に該当するか否かを判断する。
【００３６】
第２入場許可判断部２４ｂは、対応テーブル（第２対応データ）を参照して、受信された携帯電話番号及び身長に対応する前記入場希望者の年齢を判断し、遊技場２の所定の年齢制限に該当するか否かを判断する。
【００３７】
また、判断部２４は、上記遊技場２の年齢制限に関する年齢制限データを保持している。例えば、上記遊技場２の年齢制限として、２０才未満、１８才未満、１６才未満等は入場を許可しない等のデータである。
【００３８】
第１入場許可判断部２４ａ等は、上記年齢制限データや第１対応データ等に基づいて、受信された携帯電話番号に対応する前記入場希望者の年齢を判断し、前記所定の年齢制限に該当するか否かを判断する。詳細な動作は、後述する。
【００３９】
入力部２６は、キーボード等で構成される。例えば、宿泊施設の従業員は、この入力部２６を用いて、所定のキー入力操作等により、宿泊者情報等を入力できる。
【００４０】
出力部２８は、プリンタ等で構成される。宿泊施設の従業員は、必要に応じて、格納部２２の対応テーブルの内容等を出力することができる。
【００４１】
制御部３０は、例えば、ＣＰＵ等で構成される。制御部３０は、格納部２２から対応テーブルを読み出す等の動作を行う。
【００４２】
なお、送信部２０は、判断部２４が、入場希望者が所定の年齢制限に該当すると判断した場合には、ゲート装置４に対して入場を許可しない旨のデータを送信する。
【００４３】
（動作）
（１）宿泊者情報の入力動作
図３は、本システムにおける宿泊者情報の入力動作を示すフローチャート図である。ステップＳ１００では、従業員は、所持宿泊者や同行宿泊者の情報を入力部２６により入力する。具体的には、以下のとおりである。
【００４４】
（携帯電話１の所持宿泊者が宿泊する場合であって、同行宿泊者がいない場合）宿泊施設の受付に来た所持宿泊者は、宿泊者情報を所定の台帳に記入する。この宿泊者情報とは、上述したように、携帯電話番号、その所持宿泊者の氏名、所持宿泊者である旨、年齢等である。
【００４５】
なお、宿泊者情報には、これら以外の情報（例えば、住所や会社名等）を含んでも良い。また、身長については、特に含める必要はないが、含めても良い。
【００４６】
従業員は、この台帳に記載された所持宿泊者の宿泊者情報を入力部２６によりキー入力操作等により、入力する。
【００４７】
（携帯電話１の所持宿泊者が宿泊する場合であって、宿泊同行者がいる場合）
携帯電話１の所持宿泊者は、携帯電話番号、自己の氏名、所持宿泊者である旨、年齢、身長、住所等を所定の台帳に記入する。同行宿泊者は、上記所持宿泊者の携帯電話番号、自己の氏名、同行宿泊者である旨、年齢、身長、住所等を所定の台帳に記入する。
【００４８】
従業員は、所持宿泊者の情報とともに、同行宿泊者の情報を入力部２６により入力する。
【００４９】
ステップＳ１１０では、入力された所持宿泊者や同行宿泊者の情報（携帯電話番号、氏名、年齢等）が格納部２２に書き込まれる。
【００５０】
具体的には、以下のとおりである。入力部２６により入力された所持宿泊者の情報は、制御部３０へ送られる。制御部３０を介して、上記情報は、格納部２２に格納された対応テーブルに書き込まれる。
【００５１】
また、入力部２６により入力された同行宿泊者の情報についても、制御部３０に送られる。制御部３０を介して、上記情報は、格納部２２に格納された対応テーブルに書き込まれる。この際、上記同行宿泊者の情報は、図２に示すように、所持宿泊者の携帯電話番号と関連づけて記録される。
【００５２】
（２）携帯電話１を用いた遊技場２の入場許可判断システムの動作
図４は、本システムを用いて、年齢制限のある遊技場２への入場を許可するか否かを判断する動作のフローチャートを示す図である。
【００５３】
先ず、ステップＳ１５０で、ゲート装置４の表示部１８には、『遊技場への入場を希望する場合、サーバ装置６あてに電話をください』という旨が表示されている。
【００５４】
ステップＳ２００では、入場希望者がゲート装置４の前でサーバ装置６へ携帯電話１で電話をかけると、携帯電話１からサーバ装置６へ電話信号（音声通話データ及び携帯電話番号データ等）が送信される。その電話信号が受信部２０を介して、サーバ装置６の制御部３０へ送られると、制御部３０は、入場希望者の携帯電話番号をいったん保持する。そして、制御部３０は、『遊技場２への入場希望は、例えば、ボタン１を、フロントへの連絡は、ボタン２を押してください』等の音声データを格納部２２から読み出し、携帯電話送信部を介して、携帯電話１へ送る。
【００５５】
ステップＳ２１０では、携帯電話１で、上記音声データを受信すると、上記音声データが携帯電話１の音声出力部２８（図示せず）から出力される。すると、入場希望者は、入場を希望する旨のボタン１を入力する。そして、入場を希望する旨の情報が、サーバ装置６へ送られる。入場を希望する旨の情報は、携帯電話受信部を介して、サーバ装置６の制御部３０へ送られる。
【００５６】
なお、入場を希望する旨の情報は、入場希望者の携帯電話１からの音声データでもよく、それを従業者がサーバ装置６の音声出力部２８（図示せず）などで、知るようにしてもよい。これにより従業者が携帯電話番号と入場希望の旨を入力部２６に入力して、これらの情報が制御部３０に送られるようにしてもよい。
【００５７】
ステップＳ２２０では、制御部３０は、受信した携帯電話番号に対応する宿泊情報（氏名、類別、身長、年齢等）を格納部２２から読み出し、判断部２４へ送る。
【００５８】
ステップＳ２３０では、判断部２４は、携帯電話番号に対応する所持宿泊者に同行宿泊者がいるか否か判断する。
【００５９】
いない場合には、ステップＳ２５０へ移行する。いる場合には、ステップＳ４００へ移行する。
【００６０】
（Ａ）同行宿泊者がいない場合
ステップＳ２５０では、判断部２４（第１入場許可判断部２４ａ）は、先ず、携帯電話番号に対応する宿泊情報の年齢情報から、入場希望者の年齢を判断する。そして、第１入場許可判断部２４ａは、保持している遊技場２の年齢制限データと、入場希望者の年齢情報とを比較し、年齢制限に該当するか否かを判断する。具体的には、年齢制限データが、１８才未満なら入場許可しないという旨のデータならば、携帯電話番号に対応する所持宿泊者の年齢が１８才未満か否か判断する。
【００６１】
図２を用いて説明する。受信した携帯電話番号が○△×−×××−△△△△の場合、この携帯電話番号に対応する宿泊情報（氏名、類別、年齢）が第１入場許可判断部２４ａへ送られる。第１入場許可判断部２４ａは、入場希望者は、所持宿泊者Ｘであり、年齢は２８才と判断する。そして、年齢制限データが、１８才未満なら入場許可しないという旨のデータならば、第１入場許可判断部２４ａは、入場希望者の年齢は２８才であり、１８才以上なので、年齢制限に該当しないと判断する。
【００６２】
年齢制限に該当しない場合には、ステップＳ２６０へ移行する。一方、上記年齢制限に該当する場合には、ステップＳ３００へ移行する。
【００６３】
ステップＳ２６０では、判断部２４は、上記遊技場２への入場を許可すると判断する。そして、判断部２４は、上記遊技場２への入場を許可する旨のデータを制御部３０へ送る。すると、制御部３０は、上記旨を示すデータを通信部２０を介して、ゲート装置４へ送る。
【００６４】
ステップＳ２７０では、ゲート装置４の通信部１４を介して、制御部１６へ送られる。制御部１６は、上記旨のデータに基づいて、ゲート開閉制御部１０に対して、ゲート部８のゲートを開けるように指示する旨を送る。
【００６５】
ステップＳ２８０では、ゲート開閉制御部１０は、ゲート部８に対して、ゲートを開くように指示する。これにより、ゲート部８は、ゲートを開く。
【００６６】
この際、制御部１６は、表示部１８に対して、入場を許可します等の表示をさせてもよい。
【００６７】
これにより、年齢制限に該当しない入場希望者は、遊技場２への入場が許可され、上記遊技場２の遊技サービスを受けることができる。
【００６８】
ステップＳ３００では、判断部２４は、上記遊技場２への入場を許可しない旨のデータを制御部３０へ伝える。すると、制御部３０は、上記旨を示すデータを通信部２０を介して、ゲート装置４へ送る。
【００６９】
ステップＳ３１０では、上記旨を示すデータは、ゲート装置４の通信部１４を介して、制御部１６へ送られる。制御部１６は、上記旨のデータに基づいて、表示部１８に対して、入場を許可しない旨の表示をさせるように指示する。そして、制御部１６は、ゲート開閉制御部１０に対して、ゲート部８のゲートを開けるように指示する旨を送らない。
【００７０】
ステップＳ３２０では、表示部１８は、例えば、『貴方は、この遊技場２に入場できる年齢に達していない』旨の表示を行う。このときは、ゲート部８はゲートを開かない。
【００７１】
これにより、一定の年齢に達しない子供のような年齢制限に該当する入場希望者は遊技場２への入場が許可されない。
【００７２】
（Ｂ）同行宿泊者がいる場合
このケースでは、所持宿泊者以外にも、同行宿泊者が所持宿泊者の携帯電話１を使用する可能性がある。これにより、同行宿泊者である入場希望者が、所持宿泊者（年齢制限に該当しない）と偽って、上記遊技場２への入場を希望して入場が許可されてしまう事態も考えられる。このようなことを防止するために、格納部２２には、第２対応データが格納されており、判断部２４には、第２入場許可判断部２４ｂが設けられている。そして、本システムは、以下のような動作を行う。
【００７３】
ステップＳ４００では、判断部２４は、身長データの要求の旨の情報を制御部３０、通信部２０を介して、ゲート装置４へ送る。
【００７４】
ステップＳ４１０では、上記旨の情報がゲート装置４の通信部１４を介して、制御部１６へ送られる。すると、制御部１６は、身長データ生成部１２に対して、身長データを生成するように指示する。
【００７５】
ステップＳ４２０では、身長データ生成部１２は、身長データを生成する。
【００７６】
具体的には、以下の動作が行われる。先ず、身長データ生成部１２は、制御部１６を介して、表示部１８に、『踏み台に足を乗せてください』との旨の表示を行わせる。入場希望者が踏み台に足をのせると、踏み台センサーが足がのったことを検知する。この検知信号は、身長計測制御部へ送られる。身長計測制御部は、平板部に対して、一定の速度で、下降するように指示する。すると、平板部は、入場希望者の頭に接触するまで、下降し、頭に接触したときには、下降動作を停止する。この平板が停止した位置を壁部内のセンサーが検知し、身長計測制御部へ送る。身長計測制御部は、検知したセンサーが何番目のセンサーか判断する。そして、身長計測制御部は、保持しているセンサー番号と身長データとの対応関係を示すテーブルに基づいて、入場希望者の身長データを判断する。以上のようにして、身長データが生成される。
【００７７】
なお、もちろん、光センサや超音波センサ等の非接触センサを用いて身長を計測し、身長データを生成することもできる（例えば、２重の門にする）。具体的には、以下のとおりである。非接触センサにより入場希望者の身長が検知された信号が身長計測制御部へ送られる。身長計測制御部は、検知した信号と身長データとの対応関係を示すテーブルに基づいて、入場希望者の身長データを判断する。
【００７８】
ステップＳ４３０では、身長データ生成部１２により生成された身長データは、通信部１４を介して、サーバ装置６へ送られる。そして、サーバ装置６では、身長データが通信部２０、制御部３０を介して、判断部２４へ送られる。
【００７９】
ステップＳ４４０では、判断部２４（第２入場許可判断部２４ｂ）は、制御部３０を介して、格納部２２から対応テーブルを読み出し、受信した携帯電話番号に対応する宿泊情報のうち、所持宿泊者及び同行宿泊者の身長情報、年齢情報を取得する。
【００８０】
ステップＳ４５０では、第２入場許可判断部２４ｂは、所持宿泊者及び同行宿泊者の身長情報と、ゲート装置４から送られてきた身長データと、を比較し、身長が一致する者（所持宿泊者又は同行宿泊者）を判断する。
【００８１】
そして、第２入場許可判断部２４ｂは、上記一致する者を入場希望者と判断する。第２入場許可判断部２４ｂは、上記一致する者の年齢情報を、入場希望者の年齢と判断する。
【００８２】
図２を用いて説明する。受信した携帯電話番号が○△×−□□□−○△□×の場合であって、ゲート装置４から送られてきた身長データが、１４３ｃｍであった場合、身長情報は１４０から１４５ｃｍの範囲内にあるので、第２入場許可判断部２４ｂは、入場希望者は、同行宿泊者Ｙ３であり、年齢は、１４才と判断する。
【００８３】
ステップＳ４６０では、判断部２４（第２入場許可判断部２４ｂ）は、保持している遊技場２の年齢制限データと、上記入場希望者の年齢情報とを比較し、この年齢情報が年齢制限に該当するか否かを判断する。
【００８４】
具体的には、年齢制限データが、１８才未満入場許可しないという旨のデータならば、第２入場許可判断部２４ｂは、入場希望者の年齢が１８才未満か否か判断する。例えば、入場希望者が図２に示す同行宿泊者Ｙ３の場合、第２入場許可判断部２４ｂは、入場希望者の年齢は、１４才であり、１８才未満であるので、年齢制限に該当すると判断する。
【００８５】
上記年齢制限に該当しない場合には、ステップＳ２６０以降の動作が行われ、上記年齢制限に該当する場合には、ステップＳ３００以降の動作が行われる。
【００８６】
（変形例）
本実施の形態では、同行宿泊者のいない所持宿泊者については、携帯電話番号で、所持宿泊者の年齢を判断することとしたが、携帯電話番号及び身長で、所持宿泊者の年齢を判断するようにしてもよい。これにより、携帯電話１が盗まれたときには、判断部２４が、身長データが所持宿泊者の身長と異なると判断し、携帯電話１の所持宿泊者でないと判断すれば、入場を許可しないとするようにしてもよい。
【００８７】
本実施の形態では、携帯電話番号を用いて、宿泊者の年齢の特定を行っているが、メールアドレスを用いて、宿泊者の特定を行っても良い。この場合、全体のシステムとしては、携帯電話１が電話網を介して、インターネット等の公衆ネットワークと接続されており、サーバ装置６もインターネットと接続されていることが条件である。
【００８８】
また、メールアドレスにより宿泊者の特定を行う場合には、携帯電話１の他にＰＤＡのような携帯端末装置からサーバ装置６に入場希望の旨を送っても良い。
【００８９】
また、本実施の形態では、携帯電話１に対応する同行宿泊者が複数の場合、身長により各同行宿泊者又は所持宿泊者を識別することとしたが、これに限定されるものではない。例えば、各宿泊者を識別できる情報であればよく、指紋、声紋等に代表される個人識別の情報でもよい。
【００９０】
そして、各宿泊者の指紋等の情報は、年齢情報と対応して、格納部２２に格納される。そして、ゲート装置４には、指紋を検知する検知部を設ける。判断部２４は、上記検知部により検知された入場希望者の指紋データと、格納部２２の指紋データを比較し、その入場希望者の年齢を判断するということも可能である。
【００９１】
（作用効果）
本実施の形態によれば、サーバ装置６の格納部２２には、宿泊施設に宿泊し、携帯電話１を所持する所持宿泊者の携帯電話番号と、前記所持宿泊者の年齢とが、対応づけられた第１対応データが格納されている。
【００９２】
そして、サーバ装置６の受信部に前記入場希望者の携帯電話１から送信された携帯電話番号を受信されると、この携帯電話番号が第１入場許可判断部２４ａに送られる。そして、第１入場許可判断部２４ａは、この第１対応データを参照して、受信された携帯電話番号に対応する前記入場希望者の年齢を判断することができる。そして、第１入場許可判断部２４ａは、判断した入場希望者の年齢に基づいて、遊技場２の所定の年齢制限に該当するか否かを判断できる。そして、第１入場許可判断部２４ａが、前記所定の年齢制限に該当すると判断した場合には、前記入場希望者の前記遊技場２への入場は許可されず、第１入場許可判断部が、前記所定の年齢制限に該当しないと判断した場合には、前記入場希望者の前記遊技場２への入場は許可される。
【００９３】
以上のことから、監視員を配置させなくとも、遊技者の年齢制限を行っている遊技場２への入場希望者について、入場を許可してもよいか否かを判断できる入場許可判断システムを提供することが可能となる。
【００９４】
また、本実施の形態では、格納部２２には、さらに、所持宿泊者の携帯電話番号と、前記所持宿泊者及び同行宿泊者を各々識別するための各々の識別データと、前記所持宿泊者及び同行宿泊者の各々の年齢とが、対応づけられた第２対応データが格納されている。そして、受信部に、入場希望者の携帯電話番号及び識別データが受信された場合に、この携帯電話番号及び識別データが第２入場許可判断部２４ｂに送られる。そして、第２入場許可判断部２４ｂは、この第２対応データを参照して、受信された携帯電話番号及び識別データに対応する入場希望者の年齢を判断することができる。そして、第２入場許可判断部２４ｂは、判断した入場希望者の年齢に基づいて、遊技場２の所定の年齢制限に該当するか否かを判断できる。
【００９５】
このため、携帯電話１を所持する所持宿泊者のほかに、この所持宿泊者に同行して宿泊する同行宿泊者がいる場合、同行宿泊者である入場希望者が、所持宿泊者（年齢制限に該当しない）と偽って、上記遊技場２への入場を希望する場合でも、携帯電話番号及び識別データで宿泊者の識別ができ、入場希望者の年齢を判断することができる。従って、同行宿泊者が所持宿泊者と偽って、上記遊技場に入場できてしまうことを防止できる。
【００９６】
また、例えば、宿泊施設側が、宿泊客に対して与える宿泊客ＩＤを識別データとすると、同行宿泊者が所持宿泊者のＩＤを知ることで、年齢制限に該当する同行宿泊者が上記遊技場２に入場できてしまうという不都合がある。
【００９７】
ここで、個人の身長は、個人に固有の情報といえるのが一般的である。このため、入場希望者の身長の計測に基づいて、身長データ生成部１２により生成された身長データを識別データとすることで、同行宿泊者が所持宿泊者と偽って、上記遊技場２に入場できてしまうということをより一層防止できる。
【００９８】
【発明の効果】
以上説明したように、本発明によれば、監視員を配置させなくとも、遊技者の年齢制限を行っている遊技場への入場者について、入場を許可してもよいか否かを判断できる入場許可判断システムを提供することが可能となる。このため、従来に比べて、入場制限に関する監視コストを低減させることができる。
【図面の簡単な説明】
【図１】本実施の形態に係る遊技場の入場許可判断システムの構成を示す図である。
【図２】本実施の形態に係る対応テーブルの一例を示す図である。
【図３】本実施の形態に係る遊技場の入場許可判断システムの動作の一部を示すフローチャート図である。
【図４】本実施の形態に係る遊技場の入場許可判断システムの動作の一部を示すフローチャート図である。
【図５】本実施の形態に係る遊技場の入場許可判断システムの動作の一部を示すフローチャート図である。
【図６】本実施の形態に係る遊技場の入場許可判断システムの動作の一部を示すフローチャート図である。
【符号の説明】
１  携帯電話、２  遊技場、４  ゲート装置、６  サーバ装置、８  ゲート部、１０  ゲート開閉制御部、１２  身長データ生成部、１４，２０  通信部、１６，３０  制御部、２２  格納部、２４  判断部、２４ａ  第１入場許可判断部、２４ｂ  第２入場許可判断部、２６  入力部、２８  出力部
【図１】
0004121734.tif 000002
【図２】
0004121734.tif 000003
【図３】
0004121734.tif 000004
【図４】
0004121734.tif 000005
【図５】
0004121734.tif 000006
【図６】
0004121734.tif 000007